【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
個人株主クライアント端末と、個人株主データベースを含むデータベース群と、に関連付けされる個人株主管理サーバであって、
前記個人株主データベースは、
個人株主に一意の個人株主ＩＤ毎に、個人株主の属性を有する個人株主テーブルと、
個人株主企業属性ＩＤ毎に、個人株主と株式発行企業との関係を関連付けする個人株主ＩＤと、株式証券のＩＤである証券コードと、最新株主番号と、を有する個人株主企業属性テーブルと、
個人株主に送付（郵送）された記憶媒体を特定する記憶媒体ログＩＤ毎に、前記個人株主企業属性ＩＤと、記憶媒体固有ＩＤと、当該記録媒体とともに同封されたシリアルナンバーと、を有し、記憶媒体の内容と提供状況とを管理する記憶媒体ログテーブルと、を少なくとも備え、
さらに、前記データベース群のデータの検索・照合の処理をする情報処理部を有しており、
前記情報処理部は、
前記個人株主クライアント端末による前記記憶媒体の読み込み時に得られる前記記憶媒体固有ＩＤと、前記記憶媒体ログテーブルにおける記憶媒体固有ＩＤとを照合して、前記記憶媒体ログテーブルで照合された記憶媒体ログＩＤと対応する個人株主企業属性ＩＤを取得し、当該個人株主企業属性ＩＤをキーにして前記個人株主企業属性テーブルを検索して最新株主番号を取得し、該最新株主番号を有する個人株主が所持するクライアント端末に提供し、これを受けて、前記シリアルナンバーの返信に応じて、前記記憶媒体ログテーブルのシリアルナンバーと照合し、シリアルナンバーの合致を条件に、前記個人株主企業属性ＩＤで関連付けされた前記個人株主企業属性テーブル内のデータを取得することを特徴とする個人株主管理サーバ。
【請求項２】
前記情報処理部は、
取得した前記個人株主企業属性ＩＤで関連付けされた前記個人株主企業属性テーブル及び前記個人株主企業属性ＩＤに関連付けされた前記個人株主テーブルとのデータに基づいて、前記クライアント端末に個人情報入力画面を表示させるためのデータであって、メールアドレスを入力するための入力欄を含む入力用の画面表示用のデータを前記個人株主テーブルを検索して取得して作成し前記クライアント端末に提示を促し、
前記入力用の画面表示において入力され前記クライアント端末から送られたメールアドレスを、前記個人株主テーブルに記憶することを特徴とする請求項１に記載の個人株主管理サーバ。
【請求項３】
前記情報処理部は、
前記メールアドレスを記憶する際に、前記個人株主テーブルの個人株主ＩＤを時限キーとともに記憶した時限キーテーブルに、ユーザ登録確認用の一時キーを登録し、
前記メールアドレス宛に前記一時キーを埋め込んだＵＲＬを含むメールを前記クライアント端末に送信して、前記ＵＲＬの参照を促し、
当該ＵＲＬの参照に応じて前記ＵＲＬより、前記一時キーを抽出し、当該一時キーに基づいて前記時限キーテーブルを検索して個人株主ＩＤを抽出し、
当該個人株主ＩＤに基づいて前記個人株主テーブルを検索して、ユーザ情報を抽出することで、ログイン画面を作成するためのデータを求めることを特徴とする請求項２に記載の個人株主管理サーバ。
【請求項４】
前記データベース群は、さらに、個人株主検索条件データベースと、配信アクションデータベースと、議決権行使データベースと、を含み、
前記情報処理部は、
さらに、前記配信アクションデータベースにおいて、配信アクションＩＤ毎に配信アクション項目の設定を行う配信アクション設定テーブルの配信アクションＩＤにより特定された検索条件保存ＩＤ項目を配信アクションＩＤと検索条件保存ＩＤとを有する検索条件配信先テーブルから取得して格納し、
前記検索条件保存ＩＤをキーに、検索条件保存ＩＤ毎に検索条件項目を有する検索条件保存テーブルを検索するとともに、
検索条件を構築するために、前記検索条件保存ＩＤに基づいて、検索条件保存ＩＤと個人株主属性ＩＤからなる検索条件保存マッピングテーブルと、個人株主範囲検索条件ＩＤ毎に個人株主の検索範囲の条件を特定する個人株主範囲検索条件テーブルと、個人株主範囲検索条件選択肢ＩＤ毎に、個人株主範囲検索条件ＩＤと、選択肢名とを含む個人株主範囲検索条件選択肢テーブルと、検索条件保存ＩＤと個人株主範囲検索条件選択肢ＩＤからなる個人株主範囲検索条件保存マッピングテーブルと、前記検索条件保存ＩＤと、個人株主拡張属性選択肢ＩＤと、を含む拡張属性検索条件保存マッピングテーブルとから、それぞれの検索条件を取得し、
さらに、取得した前記ぞれぞれの検索条件に基づいて、前記個人株主テーブル、前記個人株主企業属性テーブル、前記個人株主企業属性ＩＤと前記個人株主拡張属性選択肢ＩＤとを含む個人株主企業拡張属性回答テーブル、を検索し、該当するデータの前記個人株主テーブルの前記個人株主ＩＤ、前記個人株主クライアント端末のメールアドレスを取得することで配信メンバを取得し、
前記配信アクションデータベースにおいて、配信可能になったデータを配信アクションテーブルの配信予約時間について、当該処理の開始日時よりも古いという条件で検索して得られた配信アクションＩＤと、前記配信メンバ取得処理において取得した個人株主ＩＤと、に基づいて、ログＩＤ毎に、配信アクションＩＤと、個人株主ＩＤと、配信状況とを含む個人株主配信アクションログテーブルにデータを登録し、
前記議決権行使データベースにおいて、取得した前記個人株主クライアント端末のメールアドレスに基づいて送信された前記個人株主クライアント端末に向けた議決権行使可能になった旨の電子メールへの返信とログインとに応じて、ログインした個人株主データ（個人株主ＩＤ）をキーとして、前記個人株主配信アクションログテーブルを検索してデータを取得し、当該データである配信アクションＩＤをキーにして、前記配信アクション設定テーブル、議決権行使配信設定ＩＤ毎に前記配信アクションＩＤを含む議決権行使配信設定テーブル、議案ＩＤ毎に議決権行使配信設定ＩＤと議案内容とを含む議決内容テーブルのデータを取得し、前記個人株主クライアント端末に、議決権行使画面を表示させるためのデータを送り返信を促すことを特徴とする請求項１から３までのいずれか１項に記載の個人株主管理サーバ。
【請求項５】
さらに、前記データベース群は、ポイント交換データベースを含み、
前記情報処理部は、
前記個人株主クライアント端末からのポイント交換操作に応じて、
前記クライアント端末の前記個人株主企業属性テーブルの所有ポイント数（残高）を取得して、選択された商品とポイントとを比較することで交換可能か否かを判定し、前記ポイント交換データベース内の、ログＩＤ毎に、個人株主ＩＤと交換ポイントとを有するポイント交換ログテーブルの、前記個人株主ＩＤによって特定される交換ポイントと申し込み状態とを新規に書き込み、ポイント交換に伴う新たな所有ポイントを再計算して前記個人株主企業属性テーブルの、所有ポイント数を更新することを特徴とする請求項１から３までのいずれか１項に記載の個人株主管理サーバ。
【請求項６】
さらに、前記データベース群は、配信アクションデータベースと、個人株主検索条件データベースと、ポイント交換データベースと、を含み、
前記情報処理部は、
前記個人株主クライアント端末からのメニュー選択に応じて返信される商品種別（商品区分）を受け取り、
証券コードと、メニュー選択に応じた商品種類（商品区分）をキーにして、前記ポイント交換データベース内の、交換ポイントＩＤ毎の証券コードと、商品ＩＤと、交換ポイントとを有する交換ポイントマスタテーブルと、商品ＩＤ毎に、商品名を含む商品表示内容を記憶する商品マスタテーブルと、からデータを取得し、
前記個人株主クライアント端末に対して、ポイント交換商品画面を表示させるための前記データを送り、商品選択操作に応じて返信される商品を受けて、当該商品を特定する商品ＩＤを検索キーにして、前記商品マスタテーブル、前記交換ポイントマスタテーブルからデータを取得し、選択された商品の詳細を前記クライアント端末に表示させるためのデータを送り、選択確認を受けて、前記クライアント端末の前記個人株主企業属性テーブルの所有ポイント数（残高）を取得して、選択された商品とポイントとを比較することで交換可能か否かを判定し、前記ポイント交換データベース内の、ログＩＤ毎に、個人株主ＩＤと交換ポイントとを有するポイント交換ログテーブルの、前記個人株主ＩＤによって特定される交換ポイントと申し込み状態とを新規に書き込み、ポイント交換に伴う新たな所有ポイントを再計算して前記個人株主企業属性テーブルの、所有ポイント数を更新することを特徴とする請求項１から３までのいずれか１項に記載の個人株主管理サーバ。
【請求項７】
前記メニュー選択は、
個人株式を保有している企業の商品と交換する選択肢、企業の商品とは異なる商品と交換する選択肢、流通ポイントとの交換、寄付を選択できる選択ボタンを有するポイント交換商品種類選択画面において実行されることを特徴とする請求項６に記載の個人株主管理サーバ。
【請求項８】
前記データベース群は、さらに、配信アクションデータベースと、個人株主検索条件データベースと、を含み、
前記情報処理部は、
企業クライアント端末からログインされ、株主情報の取得を要求されると、当該企業クライアント端末の企業の証券コードを検索キーとして、前記個人株主企業属性テーブル及びそれを介して前記個人株主テーブルを検索して個人株主企業属性情報を取得し、返信された当該株主企業属性情報を元に、前記企業クライアント端末に前記個人株主企業属性に関する検索条件の入力を促し、当該入力に基づいて、前記個人株主データベースにおいて、ログイン企業の証券コードと前記入力された検索条件とに基づいて、前記個人株主企業属性テーブルと、前記個人株主テーブルと、前記個人株主企業属性ＩＤと、前記個人株主拡張属性選択肢ＩＤと、を含む個人株主企業拡張属性回答テーブルと、を検索し、検索された件数のみを取得して返信して、統計データを作成することを特徴とする請求項１から３までのいずれか１項に記載の個人株主管理サーバ。
【請求項９】
さらに、前記統計データを元に、前記検索条件を個人株主の検索条件として前記個人株主企業属性テーブル、前記個人株主テーブルに登録し、前記企業クライアント端末からの株主情報検索要請に応じて、前記登録された前記個人株主企業属性テーブル、前記個人株主テーブルを検索してデータを取得し、当該データに基づいて作成した個人株主名簿を前記企業クライアント端末に返信することを特徴とする請求項８に記載の個人株主管理サーバ。
【請求項１０】
個人株主クライアント端末と個人株主データベースを含むデータベース群と、にネットワーク接続される個人株主管理サーバを利用した個人株主管理方法であって、
前記個人株主データベースは、個人株主毎に一意の個人株主ＩＤ毎に、個人株主の属性を有する個人株主テーブルと、個人株主企業属性ＩＤ毎に個人株主と株式発行企業との関係を関連付けする個人株主ＩＤと、株式証券のＩＤである証券コードと、最新株主番号と、を有する個人株主企業属性テーブルと、個人株主に送付（郵送）された記憶媒体を特定する記憶媒体ログＩＤ毎に、前記個人株主企業属性ＩＤと、記憶媒体固有ＩＤと、当該記録媒体とともに同封されたシリアルナンバーと、を有し、記憶媒体の内容と提供状況とを管理する記憶媒体ログテーブルと、を少なくとも備え、さらに、前記データベース群のデータの検索・照合の処理をする情報処理部を有する個人株主管理装置を用いた個人株主管理方法であって、
前記情報処理部において、
前記記憶媒体の読み込み時に得られる前記記憶媒体固有ＩＤと、前記記憶媒体ログテーブルにおける記憶媒体固有ＩＤと、を照合して、前記記憶媒体ログテーブルの個人株主企業属性ＩＤを取得するステップと、
当該個人株主企業属性ＩＤをキーにして前記個人株主企業属性テーブルを検索して最新株主番号を取得するステップと、
該最新株主番号を有する個人株主が所持するクライアント端末に提供し、これを受けて、前記シリアルナンバーの返信に応じて、返信されたシリアルナンバーと前記記憶媒体ログテーブルに記憶されたシリアルナンバーとを照合するステップと、
シリアルナンバーの合致を条件に、前記個人株主企業属性ＩＤで関連付けされた前記個人株主企業属性テーブル内のデータを取得するステップと
を有することを特徴とする個人株主管理方法。
【請求項１１】
請求項１０に記載の個人株主管理方法をコンピュータに実行させるためのプログラム。
【手続補正２】
【補正対象書類名】明細書
【補正対象項目名】発明の名称
【補正方法】変更
【補正の内容】
【発明の名称】個人株主管理サーバ、個人株主管理方法、プログラム